(57)【要約】      （修正有）【課題】容易に巻き取り姿勢にでき、容易に切断できる波形トタン板、および直線状にも曲線状にも容易に設置できる波形トタン板使用の防護壁を提供する。【解決手段】波形トタン板１１は、全体を長方形状に形成し、波方向を長手方向Ａに沿った方向として形成した。波形トタン板は、波の山や谷の稜線方向が長方形状の短手方向であることから、弾性反発力は小となり、波方向（長手方向）での巻き取りを容易に行える。巻き取り姿勢を維持した状態で、人手や車による運搬は、１人で簡単かつ容易に行える。波形トタン板は、必要な長さに切断して使用でき、切断作業は、波の山や谷の稜線に沿って短手方向Ｂに平坦状に行えばよく、容易に行える。波形トタン板使用の防護壁１は、波形トタン板を、長手方向を横方向としかつ短手方向Ｂを上下方向として、地上側に設けた柵体２に固定して構成した。【選択図】図１
2008261109.tif 000002
【特許請求の範囲】
【請求項１】
全体を長方形状に形成し、波を、その波方向を長手方向に沿った方向として形成したことを特徴とする波形トタン板。
【請求項２】
短手方向における少なくとも一方の縁部を曲げ縁部に形成したことを特徴とする請求項１記載の波形トタン板。
【請求項３】
全体を長方形状に形成するとともに、波を、その波方向を長手方向に沿った方向に形成して、波形トタン板を構成し、この波形トタン板を、長手方向を横方向としかつ短手方向を上下方向として、地上側に設けた柵体に固定したことを特徴とする波形トタン板使用の防護壁。
【請求項４】
波形トタン板は、短手方向における少なくとも一方の縁部を曲げ縁部に形成し、この曲げ縁部を上位として、柵体に固定したことを特徴とする請求項３記載の波形トタン板使用の防護壁。
【発明の詳細な説明】
【技術分野】
【０００１】
本発明は、たとえば簡易な建築物の屋根や側壁に使用される波形トタン板、および獣の侵入防止のために農地（田畑など）と外地（山地など）との境界部に設けられる波形トタン板使用の防護壁に関するものである。
【背景技術】
【０００２】
従来、この種のものとしては、次のような構成が提供されている。すなわち、トタン板からなる波板は長方形状に形成され、その際に波は、その波方向を短手方向に沿った方向に形成されている（たとえば、特許文献１参照。）。
【特許文献１】実願平４−４２７６号（実開平６−１２６６０号）のＣＤ−ＲＯＭ（第１３頁、図８）
【発明の開示】
【発明が解決しようとする課題】
【０００３】
しかし、上記した従来構成によると、波板は、波の山や谷の稜線方向が長方形状の長手方向（約２ｍ）であることから、波方向、すなわち短手方向の弾性反発力は大となり、以て短手方向での巻き取りは容易に行えない。したがって、波板の取り扱い、つまり人手や車による運搬は、長方形状（平板状）のままで行わなければならず、その運搬場所などによっては、１人では運び難いことになる。また波板を、たとえば小屋の屋根や簡易な側壁に使用する場合、長手方向において切断しなければならないときもあり、その際に、波の山や谷を乗り越えての切断であることから、その切断作業は容易に行えない。
【０００４】
そして波板を、たとえば長手方向を横方向として防護壁などに使用するとき、波の山や谷の稜線方向（長手方向）において曲げることができないことから、直線にしか防護壁を設置することができず、防護壁の設置場所、設置箇所の環境に応じて曲線（カーブ状）に設置することはできない。
【０００５】
そこで本発明の請求項１記載の発明は、容易に巻き取り姿勢にし得るとともに、容易に切断し得る波形トタン板を提供することを目的としたものである。
また請求項３記載の発明は、直線状にも曲線状（カーブ状）にも容易に設置し得る波形トタン板使用の防護壁を提供することを目的としたものである。
【課題を解決するための手段】
【０００６】
前述した目的を達成するために、本発明の請求項１記載の波形トタン板は、全体を長方形状に形成し、波を、その波方向を長手方向に沿った方向として形成したことを特徴としたものである。
【０００７】
したがって請求項１の発明によると、波形トタン板は、波の山や谷の稜線方向が長方形状の短手方向であることから、その弾性反発力は小となり、以て波方向、すなわち長手方向での巻き取りを容易に行える。そして波形トタン板は、必要な長さに切断して使用し得、その際に切断は、波の山や谷の稜線に沿って短手方向に平坦状に行えばよい。
【０００８】
また本発明の請求項２記載の波形トタン板は、上記した請求項１記載の構成において、短手方向における少なくとも一方の縁部を曲げ縁部に形成したことを特徴としたものである。
【０００９】
したがって請求項２の発明によると、波形トタン板は、波の山や谷の稜線方向が長方形状の短手方向であることから、縁部に折り返し縁部が存在していながらも、その弾性反発力は小となり、以て波方向、すなわち長手方向での巻き取りを容易に行える。
【００１０】
そして本発明の請求項３記載の波形トタン板使用の防護壁は、全体を長方形状に形成するとともに、波を、その波方向を長手方向に沿った方向に形成して、波形トタン板を構成し、この波形トタン板を、長手方向を横方向としかつ短手方向を上下方向として、地上側に設けた柵体に固定したことを特徴としたものである。
【００１１】
したがって請求項３の発明によると、波形トタン板は、波の山や谷の稜線方向が長方形状の短手方向であることから、その弾性反発力は小となり、以て波方向、すなわち長手方向での巻き取りを容易に行える。このような波形トタン板は、たとえば農地（田畑など）と外地（山地など）との境界部で地上側に柵体を設け、そして、柵体に波形トタン板と、その長手方向を横方向としかつ短手方向を上下方向として、外地側から当て付けられのち固定させることで、防護壁に使用し得る。その際に、隣接した波形トタン板は、長手方向の端における波を重ね合わせたのち、この重ね合わせ部分を柵体に固定している。さらに波形トタン板は、長手方向、すなわち波方向を横方向として曲げ易いことから、その設置場所、設置箇所の環境に応じて、曲線状（カーブ状）に容易に設置し得る。このようにして防護壁を設置し得るのであるが、このとき波形トタン板は、波の山や谷の稜線などを上下方向（短手方向）に形成していることで、猪などの獣が手足を引っ掛けようとしても滑ることになり、以て乗り越え難いものとなる。
【００１２】
さらに本発明の請求項４記載の波形トタン板使用の防護壁は、上記した請求項３記載の構成において、波形トタン板は、短手方向における少なくとも一方の縁部を曲げ縁部に形成し、この曲げ縁部を上位として、柵体に固定したことを特徴としたものである。
【００１３】
したがって請求項４の発明によると、波形トタン板は、波の山や谷の稜線方向が長方形状の短手方向であることから、縁部に折り返し縁部が存在していながらも、その弾性反発力は小となり、以て波方向、すなわち長手方向での巻き取りは容易に行える。このような波形トタン板は、折り返し縁部を上位として柵体に固定させることで、防護壁に使用しえ、その際に、上端に円弧状縁面が位置していることで、手などが接触したとしても傷付き難いものとなる。
【発明の効果】
【００１４】
上記した本発明の請求項１によると、波形トタン板は、波の山や谷の稜線方向が長方形状の短手方向であることから、その弾性反発力は小となり、以て波方向、すなわち長手方向での巻き取りを容易に行うことができる。したがって、巻き取り姿勢を維持した状態で、人手や車による運搬（取り扱い）は、その運搬場所などに関係なく、１人で簡単かつ容易に行うことができる。そして波形トタン板は、必要な長さに切断して使用でき、その際に切断は、波の山や谷の稜線に沿って短手方向に平坦状に行えばよく、切断作業は容易に行うことができる。
【００１５】
また上記した本発明の請求項２によると、波形トタン板は、波の山や谷の稜線方向が長方形状の短手方向であることから、縁部に折り返し縁部が存在していながらも、その弾性反発力は小となり、以て波方向、すなわち長手方向での巻き取りを容易に行うことができる。
【００１６】
そして上記した本発明の請求項３によると、波形トタン板は、波の山や谷の稜線方向が長方形状の短手方向であることから、その弾性反発力は小となり、以て波方向、すなわち長手方向での巻き取りを容易に行うことができる。したがって、巻き取り姿勢を維持した状態で、人手や車による運搬（取り扱い）は、その運搬場所などに関係なく、１人で簡単かつ容易に行うことができる。
【００１７】
このような波形トタン板は、たとえば農地（田畑など）と外地（山地など）との境界部で地上側に柵体を設け、そして、柵体に波形トタン板を、その長手方向を横方向としかつ短手方向を上下方向として、外地側から当て付けたのち固定させることで、防護壁に使用できる。その際に、隣接した波形トタン板は、長手方向の端における波を重ね合わせたのち、この重ね合わせ部分を柵体に固定している。さらに波形トタン板は、長手方向、すなわち波方向を横方向として曲げ易いことから、その設置場所、設置箇所の環境に応じて、曲線（カーブ状）に容易に設置することができる。このようにして防護壁を設置できるのであるが、このとき波形トタン板は、波の山や谷の稜線などを上下方向（短手方向）に形成していることで、猪などの獣が手足を引っ掛けようとしても滑ることになり、以て乗り越え難いものにできる。
【００１８】
さらに上記した本発明の請求項４によると、波形トタン板は、波の山や谷の稜線方向が長方形状の短手方向であることから、縁部に折り返し縁部が存在していながらも、その弾性反発力は小となり、以て波方向、すなわち長手方向での巻き取りは容易に行うことができる。このような波形トタン板は、折り返し縁部を上位として柵体に固定させることで、防護壁に使用できる。その際に、上端に円弧状縁面が位置していることで、手などが接触したとしても傷付き難いものにできる。
【発明を実施するための最良の形態】
【００１９】
［実施の形態１］
以下に、本発明の実施の形態１を、波形トタン板を防護壁に採用した状態として、図１〜図６に基づいて説明する。
【００２０】
図３、図４において、波形トタン板１１は、全体が長方形状（定尺）に形成され、波は、その波方向を長手方向Ａに沿った方向として形成されている。そして、短手方向Ｂにおける一方の縁部が重合状の折り返し縁部（曲げ縁部の一例）１１Ａに形成され、以て一方端に円弧状縁面１１ａが形成されている。ここで波形トタン板１１は、たとえば厚さが０．２ｍｍ、長手方向Ａの波付け前の標準長さが１８２９ｍｍ、短手方向Ｂの標準幅が［７６２ｍｍ−５０ｍｍ］、折り返し縁部１１Ａの幅が５０ｍｍであり、そして波の高さは９ｍｍ、波のピッチは３１．８ｍｍとされている。
【００２１】
このような波形トタン板１１は、波の山や谷の稜線方向が長方形状の短手方向（約７００ｍｍ）Ｂであることから、一方縁部に折り返し縁部１１Ａが存在していながらも、その弾性反発力は小となり、以て波方向、すなわち長手方向Ａでの巻き取りは容易に行える。したがって図５に示すように、巻き部材１０により巻き取り姿勢を維持した状態で、人手や車による運搬（取り扱い）は、その運搬場所などに関係なく、１人で簡単かつ容易に行うことができ、また巻き取り姿勢でダンボール箱に詰め込むこともできる。なお波形トタン板１１の取り扱い、つまり人手や車による運搬は、従来と同様に、長方形状（平板状）のままでも行うことができる。
【００２２】
前記波形トタン板１１は防護壁に使用できる。すなわち図１、図２に示すように、たとえば農地（田畑など）４と外地（山地など）５との境界部で地上側には、所定の間隔置きに杭（柵体の一例）２が打ち込みなどにより設けられている。そして、隣接した杭２間に前記波形トタン板１１が、その長手方向Ａを横方向としかつ短手方向Ｂを上下方向として、外地５側から当て付けられたのち、固定具（ワイヤー、釘など）３により固定されている。その際に、隣接した波形トタン板１１は、長手方向Ａの端における波が重ね合わされたのち、この重ね合わせ部分が固定具３により杭２に固定されている。
【００２３】
また、波形トタン板１１は、折り返し縁部１１Ａを上位として杭２に固定されており、このとき固定される波形トタン板１１の下部（約１００ｍｍ〜２００ｍｍ）は地中側に埋め込まれている。さらに波形トタン板１１は、長手方向Ａ、すなわち波方向を横方向として曲げ易いことから、その設置場所、設置箇所の環境に応じて、図６のイに示すように、曲線状（カーブ状）に容易に設置することができる。
【００２４】
以上により防護壁１を設置できるのであるが、このとき波形トタン板１１は、折り返し縁部１１Ａを上位として杭２に固定されており、その上端に円弧状縁面１１ａが位置されていることで、手などが接触したとしても傷付き難いものとなる。また波形トタン板１１は、波の山や谷の稜線などが上下方向（短手方向Ｂ）に形成されていることで、猪などの獣が手足を引っ掛けようとしても滑ることになり、以て乗り越え難いものとなる。さらに波形トタン板１１の下部が地中側に埋め込まれていることで、獣が土を掘って潜りぬけることも阻止し得る。
［実施の形態２］
次に、本発明の実施の形態２を、図７、図８に基づいて説明する。
【００２５】
この実施の形態２において、波形トタン板１２は、全体が長方形状（定尺）に形成され、波は、その波方向を長手方向Ａに沿った方向として形成されている。ここで波形トタン板１２は、たとえば、厚さが０．２ｍｍ、長手方向Ａの波付け前の標準長さが１８２９ｍｍ、短手方向Ｂの標準幅が７６２ｍｍであり、そして波の高さは９ｍｍ、波のピッチは３１．８ｍｍとされている。
【００２６】
このような波形トタン板１２は、波の山や谷の稜線方向が長方形状の短手方向（７６２ｍｍ）Ｂであることから、その弾性反発力は小となり、以て波方向、すなわち長手方向Ａでの巻き取りは、上述した実施の形態１と比べて、より容易に行える。したがって、巻き部材１０により巻き取り姿勢を維持した状態で、人手や車による運搬（取り扱い）は、その運搬場所などに関係なく、１人で簡単かつ容易に行うことができ、また巻き取り姿勢でダンボール箱に詰め込むこともできる。なお波形トタン板１２の取り扱い、つまり人手や車による運搬は、従来と同様に、長方形状（平板状）のままでも行うことができる。そして波形トタン板１２は、実施の形態１と同様にして、防護壁１に使用できる。
［実施の形態３］
次に、本発明の実施の形態３を、図９に基づいて説明する。
【００２７】
この実施の形態３において、波形トタン板１３は、全体が長方形状（定尺）に形成され、波は、その波方向を長手方向Ａに沿った方向として形成されている。そして、短手方向Ｂにおける両方の縁部が、同じ方向で重合状の折り返し縁部１３Ａ，１３Ｂに形成され、以て両端は円弧状縁面１３ａ，１３ｂに形成されている。ここで波形トタン板１３は、たとえば厚さが０．２ｍｍ、長手方向Ａの波付け前の標準長さが１８２９ｍｍ、短手方向Ｂの標準幅が［７６２ｍｍ−１００ｍｍ］、折り返し縁部１３Ａ，１３Ｂの幅がそれぞれ５０ｍｍであり、そして波の高さは９ｍｍ、波のピッチは３１．８ｍｍとされている。
【００２８】
このような波形トタン板１３は、波の山や谷の稜線などの方向が長方形状の短手方向（約６６０ｍｍ）Ｂであることから、両方縁部に折り返し縁部１３Ａ，１３Ｂが存在していながらも、その弾性反発力は小となり、以て波方向、すなわち長手方向Ａでの巻き取りは容易に行える。したがって、巻き部材１０により巻き取り姿勢を維持した状態で、人手や車による運搬（取り扱い）は、その運搬場所などに関係なく、１人で簡単かつ容易に行うことができ、また巻き取り姿勢でダンボール箱に詰め込むこともできる。なお波形トタン板１３の取り扱い、つまり人手や車による運搬は、従来と同様に、長方形状（平板状）のままでも行うことができる。そして波形トタン板１３は、実施の形態１と同様にして、防護壁１に使用できる。
［実施の形態４］
次に、本発明の実施の形態４を、図１０に基づいて説明する。
【００２９】
この実施の形態４において、波形トタン板１４は、全体が長方形状（定尺）に形成され、波は、その波方向を長手方向Ａに沿った方向として形成されている。そして、短手方向Ｂにおける両方の縁部が、逆方向で重合状の折り返し縁部１４Ａ，１４Ｂに形成され、以て両端は円弧状縁面１４ａ，１４ｂに形成されている。ここで波形トタン板１４は、たとえば厚さが０．２ｍｍ、長手方向Ａの波付け前の標準長さが１８２９ｍｍ、短手方向Ｂの標準幅が［７６２ｍｍ−１００ｍｍ］、折り返し縁部１４Ａ，１４Ｂの幅がそれぞれ５０ｍｍであり、そして波の高さは９ｍｍ、波のピッチは３１．８ｍｍとされている。
【００３０】
このような波形トタン板１４は、波の山や谷の稜線方向が長方形状の短手方向（約６６０ｍｍ）Ｂであることから、両方縁部に折り返し縁部１４Ａ，１４Ｂが存在していながらも、その弾性反発力は小となり、以て波方向、すなわち長手方向Ａでの巻き取りは容易に行える。したがって、巻き部材１０により巻き取り姿勢を維持した状態で、人手や車による運搬（取り扱い）は、その運搬場所などに関係なく、１人で簡単かつ容易に行うことができ、また巻き取り姿勢でダンボール箱に詰め込むこともできる。なお波形トタン板１４の取り扱い、つまり人手や車による運搬は、従来と同様に、長方形状（平板状）のままでも行うことができる。そして波形トタン板１４は、実施の形態１と同様にして、防護壁１に使用できる。
［実施の形態５］
次に、本発明の実施の形態５を、図１１に基づいて説明する。
【００３１】
この実施の形態５において、波形トタン板１５は、全体が長方形状に形成され、波は、その波方向を長手方向Ａに沿った方向として形成されている。そして、短手方向Ｂにおける一方の縁部は、角度θ１  が６０度〜１５０度の折り曲げ部（曲げ縁部の一例）１５Ａに形成されている。ここで波形トタン板１５は、たとえば厚さが０．２ｍｍ、長手方向Ａの波付け前の標準長さが１８２９ｍｍ、短手方向Ｂの標準幅が［７６２ｍｍ−１００ｍｍ］、折り曲げ部１５Ａの幅が１００ｍｍであり、そして波の高さは９ｍｍ、波のピッチは３１．８ｍｍとされている。
【００３２】
このような波形トタン板１５は、主として、折り目線１５ａを頂部として、とんがり屋根や平らに近い屋根の屋根板として使用でき、その際に折り曲げ部１５Ａを利用して雨水の浸入を防ぐことができる。また波形トタン板１５を実施の形態１と同様にして、防護壁１に使用する場合、折り曲げ部１５Ａが外地（山地など）５側に向くようにして杭２間に固定され、この折り曲げ部１５Ａによって猪などの獣は、より乗り越え難いものとなる。
［実施の形態６］
次に、本発明の実施の形態６を、図１２に基づいて説明する。
【００３３】
この実施の形態６において、波形トタン板１６は、全体が長方形状に形成され、波は、その波方向を長手方向Ａに沿った方向として形成されている。そして、短手方向Ｂにおける一方の縁部は、角度θ２  が１０度〜４５度の忍び返し部（曲げ縁部の一例）１６Ａに形成され、以て上端は円弧状縁面１６ａに形成されている。ここで波形トタン板１６は、たとえば厚さが０．２ｍｍ、長手方向Ａの波付け前の標準長さが１８２９ｍｍ、短手方向Ｂの標準幅が［７６２ｍｍ−１００ｍｍ］、忍び返し部１６Ａの幅が１００ｍｍであり、そして波の高さは９ｍｍ、波のピッチは３１．８ｍｍとされている。
【００３４】
このような波形トタン板１６は、実施の形態１と同様にすることで、主として防護壁１に使用し得、この場合に忍び返し部１６Ａが外地（山地など）５側に向くようにして杭２間に固定されている。その際に上端に円弧状縁面１６ａが位置されていることで、手などが接触したとしても傷付き難いものとなる。また波形トタン板１６は、波の山や谷の稜線などが上下方向（短手方向Ｂ）に形成されていることで、猪などの獣が手足を引っ掛けようとしても滑ることになり、以て乗り越え難いものとなる。さらに忍び返し部１６Ａによって猪などの獣は、より乗り越え難いものとなる。
【００３５】
上記した実施の形態１〜６では、長手方向Ａの波付け前の標準長さが１８２９ｍｍの波形トタン板１１〜１６が示されているが、これは長手方向Ａにおいて長尺に連続成形された波形トタン板であってもよく、以下に種々な例を実施の形態７〜１０として説明する。
［実施の形態７］
次に、本発明の実施の形態７を、図１３に基づいて説明する。
【００３６】
この実施の形態７において、長尺の波形トタン板１１Ｌは、長手方向Ａにおいて長尺に連続成形されて全体が長方形状に形成され、波は、その波方向を長手方向Ａに沿った方向として形成されている。そして、短手方向Ｂにおける一方の縁部が重合状の折り返し縁部（曲げ縁部の一例）１１Ａに形成され、以て一方端に円弧状縁面１１ａが形成されている。ここで長尺の波形トタン板１１Ｌは、たとえば厚さが０．２ｍｍ、短手方向Ｂの標準幅が［７６２ｍｍ−５０ｍｍ］、折り返し縁部１１Ａの幅が５０ｍｍであり、そして波の高さは９ｍｍ、波のピッチは３１．８ｍｍとされている。
【００３７】
このような長尺の波形トタン板１１Ｌは、波の山や谷の稜線方向が長方形状の短手方向（約７００ｍｍ）Ｂであることから、一方縁部に折り返し縁部１１Ａが存在していながらも、その弾性反発力は小となり、以て波方向、すなわち長手方向Ａでのロール状の巻き取りは容易に行える。したがって、ロール状に巻き取った姿勢を維持した状態で、人手や車による運搬（取り扱い）は、その運搬場所などに関係なく、１人で簡単かつ容易に行うことができ、また巻き取り姿勢でダンボール箱に詰め込むこともできる。
【００３８】
この長尺の波形トタン板１１Ｌは、必要な長さに切断して使用でき、その際に切断は、波の山や谷の稜線に沿って短手方向Ｂに平坦状に行えばよく、切断作業は容易に行うことができる。さらにロール状に巻き取った姿勢の長尺の波形トタン板１１Ｌは、その長手方向Ａの遊端を杭２や建物に固定したのち、巻き戻ししながら伸ばすことで、その配設は、最少人数で簡単かつ容易に行うことができる。また配設は、その長さ方向の中間部分を杭２や建物に固定させて行ってもよい。
［実施の形態８］
次に、本発明の実施の形態８を、図１４に基づいて説明する。
【００３９】
この実施の形態８において、長尺の波形トタン板１２Ｌは、長手方向Ａにおいて長尺に連続成形されて全体が長方形状に形成され、波は、その波方向を長手方向Ａに沿った方向として形成されている。ここで波形トタン板１２は、たとえば、厚さが０．２ｍｍ、短手方向Ｂの標準幅が７６２ｍｍであり、そして波の高さは９ｍｍ、波のピッチは３１．８ｍｍとされている。
【００４０】
このような波形トタン板１２Ｌは、波の山や谷の稜線方向が長方形状の短手方向（７６２ｍｍ）Ｂであることから、その弾性反発力は小となり、以て波方向、すなわち長手方向Ａでの巻き取りは、上述した実施の形態７と比べて、より容易に行える。したがって、ロール状に巻き取った姿勢を維持した状態で、人手や車による運搬（取り扱い）は、その運搬場所などに関係なく、１人で簡単かつ容易に行うことができ、また巻き取り姿勢でダンボール箱に詰め込むこともできる。
【００４１】
この長尺の波形トタン板１２Ｌは、必要な長さに切断して使用でき、その際に切断は、波の山や谷の稜線に沿って短手方向Ｂに平坦状に行えばよく、切断作業は容易に行うことができる。さらにロール状に巻き取った姿勢の長尺の波形トタン板１２Ｌは、その長手方向Ａの遊端を杭２や建物に固定したのち、巻き戻ししながら伸ばすことで、その配設は、最少人数で簡単かつ容易に行うことができる。また配設は、その長さ方向の中間部分を杭２や建物に固定させて行ってもよい。
［実施の形態９］
次に、本発明の実施の形態９を、図１５に基づいて説明する。
【００４２】
この実施の形態９において、長尺の波形トタン板１３Ｌは、長手方向Ａにおいて長尺に連続成形されて全体が長方形状に形成され、波は、その波方向を長手方向Ａに沿った方向として形成されている。そして、短手方向Ｂにおける両方の縁部が、同じ方向で重合状の折り返し縁部１３Ａ，１３Ｂに形成され、以て両端は円弧状縁面１３ａ，１３ｂに形成されている。ここで長尺の波形トタン板１３Ｌは、たとえば厚さが０．２ｍｍ、短手方向Ｂの標準幅が［７６２ｍｍ−１００ｍｍ］、折り返し縁部１３Ａ，１３Ｂの幅がそれぞれ５０ｍｍであり、そして波の高さは９ｍｍ、波のピッチは３１．８ｍｍとされている。
【００４３】
このような長尺の波形トタン板１３Ｌは、波の山や谷の稜線方向が長方形状の短手方向（約６６０ｍｍ）Ｂであることから、両方縁部に折り返し縁部１３Ａ，１３Ｂが存在していながらも、その弾性反発力は小となり、以て波方向、すなわち長手方向Ａでのロール状の巻き取りは容易に行える。したがって、ロール状に巻き取った姿勢を維持した状態で、人手や車による運搬（取り扱い）は、その運搬場所などに関係なく、１人で簡単かつ容易に行うことができ、また巻き取り姿勢でダンボール箱に詰め込むこともできる。
【００４４】
この長尺の波形トタン板１３Ｌは、必要な長さに切断して使用でき、その際に切断は、波の山や谷の稜線に沿って短手方向Ｂに平坦状に行えばよく、切断作業は容易に行うことができる。さらにロール状に巻き取った姿勢の長尺の波形トタン板１３Ｌは、その長手方向Ａの遊端を杭２や建物に固定したのち、巻き戻ししながら伸ばすことで、その配設は、最少人数で簡単かつ容易に行うことができる。また配設は、その長さ方向の中間部分を杭２や建物に固定させて行ってもよい。
［実施の形態１０］
次に、本発明の実施の形態１０を、図１６に基づいて説明する。
【００４５】
この実施の形態９において、長尺の波形トタン板１４Ｌは、長手方向Ａにおいて長尺に連続成形されて全体が長方形状に形成され、波は、その波方向を長手方向Ａに沿った方向として形成されている。そして、短手方向Ｂにおける両方の縁部が、逆方向で重合状の折り返し縁部１４Ａ，１４Ｂに形成され、以て両端は円弧状縁面１４ａ，１４ｂに形成されている。ここで長尺の波形トタン板１４Ｌは、たとえば厚さが０．２ｍｍ、短手方向Ｂの標準幅が［７６２ｍｍ−１００ｍｍ］、折り返し縁部１４Ａ，１４Ｂの幅がそれぞれ５０ｍｍであり、そして波の高さは９ｍｍ、波のピッチは３１．８ｍｍとされている。
【００４６】
このような長尺の波形トタン板１４Ｌは、波の山や谷の稜線方向が長方形状の短手方向（約６６０ｍｍ）Ｂであることから、両方縁部に折り返し縁部１４Ａ，１４Ｂが存在していながらも、その弾性反発力は小となり、以て波方向、すなわち長手方向Ａでのロール状の巻き取りは容易に行える。したがって、ロール状に巻き取った姿勢を維持した状態で、人手や車による運搬（取り扱い）は、その運搬場所などに関係なく、１人で簡単かつ容易に行うことができ、また巻き取り姿勢でダンボール箱に詰め込むこともできる。
【００４７】
この長尺の波形トタン板１４Ｌは、必要な長さに切断して使用でき、その際に切断は、波の山や谷の稜線に沿って短手方向Ｂに平坦状に行えばよく、切断作業は容易に行うことができる。さらにロール状に巻き取った姿勢の長尺の波形トタン板１４Ｌは、その長手方向Ａの遊端を杭２や建物に固定したのち、巻き戻ししながら伸ばすことで、その配設は、最少人数で簡単かつ容易に行うことができる。また配設は、その長さ方向の中間部分を杭２や建物に固定させて行ってもよい。
【００４８】
上記した実施の形態７〜１０において、長尺に連続成形されときの長さとは、たとえば、ロール状に巻き取った状態で１人が持ち運びできる重さに相当する長さ、たとえば２００００ｍｍ（２０ｍ）前後が好適とされている。
【００４９】
上記した実施の形態１〜１０では、各種の波形トタン板１１〜１６、１１Ｌ〜１４Ｌとして、厚さが０．２ｍｍのものを示したが、これは０．１６ｍｍ〜０．５ｍｍの厚さのものが好適に採用されるものである。
【００５０】
上記した実施の形態１、３〜７、９、１０では、各種の波形トタン板１１、１３、１４、１１Ｌ、１３Ｌ、１４Ｌとして、その折り返し縁部１１Ａ、１３Ａ，１３Ｂ、１４Ａ，１４Ｂの幅がそれぞれ５０ｍｍのものを示したが、これは２０ｍｍ〜５０ｍｍの幅のものが好適に採用されるものであり、また上部の折り返し縁部１３Ａ、１４Ａの幅と下部の折り返し縁部１３Ｂ、１４Ｂの幅とに変化（差）を持たせてもよい。
【００５１】
上記した実施の形態１、３〜７、９、１０では、曲げ縁部により全体を補強でき、以て強度を確保できる。
上記した実施の形態１では、波形トタン板１１を獣の侵入を防ぐ防護壁１に使用しているが、これは波形トタン板１１〜１６の下部（約５００ｍｍ）を地中側に埋め込むことによって、竹の地下茎の侵食防止に使用できる。また、畦道などの防護壁１に使用できる。
【００５２】
上記した実施の形態１では、柵体として杭２が示されているが、これは枠状物など種々な形状のものが使用されるものである。
【図面の簡単な説明】
【００５３】
【図１】本発明の実施の形態１を示し、波形トタン板使用の防護壁における要部の斜視図である。
【図２】同波形トタン板使用の防護壁における要部の平面図である。
【図３】同波形トタン板を示し、（ａ）は平面図、（ｂ）は正面図、（ｃ）は右側面図、（ｄ）は底面図、（ｅ）は背面図、（ｆ）はＣ−Ｃ線拡大図、（ｇ）はＤ−Ｄ線拡大図、（ｈ）はＥ−Ｅ線拡大図である。
【図４】同波形トタン板の要部の斜視図である。
【図５】同波形トタン板の巻き取り姿勢の斜視図である。
【図６】同波形トタン板使用の防護壁における別使用形態での要部の斜視図である。
【図７】本発明の実施の形態２を示し、波形トタン板であって、（ａ）は平面図、（ｂ）は正面図、（ｃ）は右側面図、（ｄ）は底面図、（ｅ）は背面図、（ｆ）はＦ−Ｆ線拡大図、（ｇ）はＧ−Ｇ線拡大図である。
【図８】同波形トタン板の要部の斜視図である。
【図９】本発明の実施の形態３を示し、波形トタン板であって、（ａ）は平面図、（ｂ）は正面図、（ｃ）は右側面図、（ｄ）は底面図、（ｅ）は背面図、（ｆ）はＨ−Ｈ線拡大図、（ｇ）はＩ−Ｉ線拡大図、（ｈ）はＪ−Ｊ線拡大図、（ｉ）はＫ−Ｋ線拡大図である。
【図１０】本発明の実施の形態４を示し、波形トタン板であって、（ａ）は平面図、（ｂ）は正面図、（ｃ）は右側面図、（ｄ）は底面図、（ｅ）は背面図、（ｆ）はＬ−Ｌ線拡大図、（ｇ）はＭ−Ｍ線拡大図、（ｈ）はＮ−Ｎ線拡大図、（ｉ）はＯ−Ｏ線拡大図である。
【図１１】本発明の実施の形態５を示し、波形トタン板の側面図である。
【図１２】本発明の実施の形態６を示し、波形トタン板の側面図である。
【図１３】本発明の実施の形態７を示し、長尺の波形トタン板であって、（ａ）は平面図、（ｂ）は正面図、（ｃ）は右側面図、（ｄ）は底面図、（ｅ）は背面図、（ｆ）はＰ−Ｐ線拡大図、（ｇ）はＱ−Ｑ線拡大図、（ｈ）はＲ−Ｒ線拡大図である。
【図１４】本発明の実施の形態８を示し、長尺の波形トタン板であって、（ａ）は平面図、（ｂ）は正面図、（ｃ）は右側面図、（ｄ）は底面図、（ｅ）は背面図、（ｆ）はＳ−Ｓ線拡大図、（ｇ）はＴ−Ｔ線拡大図である。
【図１５】本発明の実施の形態９を示し、長尺の波形トタン板であって、（ａ）は平面図、（ｂ）は正面図、（ｃ）は右側面図、（ｄ）は底面図、（ｅ）は背面図、（ｆ）はＵ−Ｕ線拡大図、（ｇ）はＶ−Ｖ線拡大図、（ｈ）はＷ−Ｗ線拡大図、（ｉ）はＸ−Ｘ線拡大図である。
【図１６】本発明の実施の形態１０を示し、長尺の波形トタン板であって、（ａ）は平面図、（ｂ）は正面図、（ｃ）は右側面図、（ｄ）は底面図、（ｅ）は背面図、（ｆ）はＹ−Ｙ線拡大図、（ｇ）はＺ−Ｚ線拡大図、（ｈ）はα−α線拡大図、（ｉ）はβ−β線拡大図である。
【符号の説明】
【００５４】
１        防護壁
２        杭（柵体）
３        固定具
４        農地（田畑）
５        外地（山地）
１０      巻き部材
１１      波形トタン板
１１Ｌ    長尺の波形トタン板
１１Ａ    折り返し縁部（曲げ縁部）
１１ａ    円弧状縁面
１２      波形トタン板
１２Ｌ    長尺の波形トタン板
１３      波形トタン板
１３Ｌ    長尺の波形トタン板
１３Ａ    折り返し縁部（曲げ縁部）
１３ａ    円弧状縁面
１３Ｂ    折り返し縁部（曲げ縁部）
１３ｂ    円弧状縁面
１４      波形トタン板
１４Ｌ    長尺の波形トタン板
１４Ａ    折り返し縁部（曲げ縁部）
１４ａ    円弧状縁面
１４Ｂ    折り返し縁部（曲げ縁部）
１４ｂ    円弧状縁面
１５      波形トタン板
１５Ａ    折り曲げ部（曲げ縁部）
１５ａ    折り目線
１６      波形トタン板
１６Ａ    忍び返し部（曲げ縁部）
１６ａ    円弧状縁面
Ａ        長手方向
Ｂ        短手方向
【図１】
2008261109.tif 000003
【図２】
2008261109.tif 000004
【図３】
2008261109.tif 000005
【図４】
2008261109.tif 000006
【図５】
2008261109.tif 000007
【図６】
2008261109.tif 000008
【図７】
2008261109.tif 000009
【図８】
2008261109.tif 000010
【図９】
2008261109.tif 000011
【図１０】
2008261109.tif 000012
【図１１】
2008261109.tif 000013
【図１２】
2008261109.tif 000014
【図１３】
2008261109.tif 000015
【図１４】
2008261109.tif 000016
【図１５】
2008261109.tif 000017
【図１６】
2008261109.tif 000018